(57)【要約】【課題】フラットデッキプレートのリブ部の長手方向の切断を不要とすることによって、作業時間の短縮と、構築コストの低減を図ることができるフラットデッキプレートを提供する。【解決手段】フラットデッキプレート型枠工法において使用される、フランジ部２と、フランジ部２の下面に配されるリブ部１とからなるフラットデッキプレートにおいて、フランジ部２とリブ部１とは、分離可能に組み立てられ、リブ部１の上部には、合せ部３が形成され、フランジ部２の幅方向端部には、下方に折れ曲がった折り曲げ部４が形成され、折り曲げ部４は、合せ部３に挿入される。【選択図】図１
2019065593.tif 000002
【特許請求の範囲】
【請求項１】
フラットデッキプレート型枠工法において使用される、フランジ部と、前記フランジ部の下面に配されるリブ部とからなるフラットデッキプレートにおいて、
前記フランジ部と前記リブ部とは、分離可能に組み立てられ、前記リブ部の上部には、合せ部が形成され、前記フランジ部の幅方向端部には、下方に折れ曲がった折り曲げ部が形成され、前記折り曲げ部は、前記合せ部に挿入されることを特徴とするフラットデッキプレート。
【請求項２】
前記フランジ部の幅方向端部には、前記フランジ部の長手方向に沿って所定間隔をあけて複数本のスリットが形成されていることを特徴とする、請求項１に記載のフラットデッキプレート。
【請求項３】
前記フランジ部には、補強リブが形成されていることを特徴とする、請求項１または２に記載のフラットデッキプレート。
【請求項４】
前記補強リブは、前記フランジ部の幅方向に沿って形成されていることを特徴とする、請求項３に記載のフラットデッキプレート。
【請求項５】
前記補強リブは、前記フランジ部の長手方向に沿って所定間隔をあけて複数本、形成されていることを特徴とする、請求項４に記載のフラットデッキプレート。
【発明の詳細な説明】
【技術分野】
【０００１】
この発明は、フラットデッキプレート、特に、フラットデッキプレート型枠工法により、床スラブの下面に間仕切り壁を構築する際に、フラットデッキプレートのリブ部の切断が不要となるフラットデッキプレートに関するものである。
【背景技術】
【０００２】
従来、フラットデッキプレート型枠工法により、床スラブの下面にリブ部と直交させて、例えば、耐火間仕切り壁を構築する際には、フラットデッキプレートのリブ部と耐火間仕切り壁の上端とが干渉しないように、図１１（ａ）、（ｂ）に示すように、リブ部１１を、溶断、サンダー切断、グラインダー等により耐火間仕切り壁１２の厚さ分だけ切断し、除去する必要があった。
【０００３】
図１１（ｂ）において、Ｘは、リブ部１１の縦方向の切断線を示し、Ｙは、リブ部１１の長手方向の切断線を示す。
【０００４】
なお、従来のフラットデッキプレートは、図１２に示すように、フランジ部１３と、フランジ部１３の下面に形成された複数本（この例では、２本）のリブ部１１とからなり、図１３に示すように、リブ部１１の両端部には、リブ部１１を押し潰すことによって、梁材（図示せず）に載置され、固定される載置部１１ａと傾斜部１１ｂとが形成されている。
【０００５】
このフラットデッキプレートを連結するには、図１４に示すように、一方のフラットデッキプレートＡのフランジ部１３に形成された折り曲げ片１４を他方のフラットデッキプレートＢの合せ部１５内に挿入する。
【発明の概要】
【発明が解決しようとする課題】
【０００６】
上述したように、従来のフラットデッキプレートにおいては、床スラブの下面に耐火間仕切り壁１２を構築する際には、フラットデッキプレートのリブ部１１と耐火間仕切り壁１２の上端とが干渉しないように、図１１（ｂ）に示すように、リブ部１１を耐火間仕切り壁１２の厚さ分だけ切断し、除去する必要があるが、切断線Ｙで示すように、リブ部１１を長手方向に切断する場合、どうしても残り代１６が残る。
【０００７】
この残り代１６があると、耐火間仕切り壁１２の構築に支障を来たすので、ハンマー等で残り代１６に打撃を加えて、残り代１６を水平に折り曲げる必要があった。
【０００８】
このように、従来、フラットデッキプレート型枠工法により、床スラブの下面に間仕切り壁を構築する際には、リブ部１１を耐火間仕切り壁１２の厚さ分だけ切断して除去する必要があった。しかも、残り代１６を水平に折り曲げる必要があるので、作業時間が長くなるとともに、構築コストが嵩むといった問題があった。
【０００９】
従って、この発明の目的は、フラットデッキプレート型枠工法により、床スラブの下面に間仕切り壁を構築する際に、フラットデッキプレートのリブ部の切断を不要とすることによって、作業時間の短縮と、構築コストの低減を図ることができるフラットデッキプレートを提供することにある。
【課題を解決するための手段】
【００１０】
この発明は、上記目的を達成するためになされたものであって、下記を特徴とする。
【００１１】
請求項１に記載の発明は、フラットデッキプレート型枠工法において使用される、フランジ部と、前記フランジ部の下面に配されるリブ部とからなるフラットデッキプレートにおいて、前記フランジ部と前記リブ部とは、分離可能に組み立てられ、前記リブ部の上部には、合せ部が形成され、前記フランジ部の幅方向端部には、下方に折れ曲がった折り曲げ部が形成され、前記折り曲げ部は、前記合せ部に挿入されることに特徴を有するものである。
【００１２】
請求項２に記載の発明は、請求項１に記載の発明において、前記フランジ部の幅方向端部には、前記フランジ部の長手方向に沿って所定間隔をあけて複数本のスリットが形成されていることに特徴を有するものである。
【００１３】
請求項３に記載の発明は、請求項１または２に記載の発明において、前記フランジ部には、補強リブが形成されていることに特徴を有するものである。
【００１４】
請求項４に記載の発明は、請求項３に記載の発明において、前記補強リブは、前記フランジ部の幅方向に沿って形成されていることに特徴を有するものである。
【００１５】
請求項５に記載の発明は、請求項４に記載の発明において、前記補強リブは、前記フランジ部の長手方向に沿って所定間隔をあけて複数本、形成されていることに特徴を有するものである。
【発明の効果】
【００１６】
この発明によれば、フラットデッキプレート型枠工法により、床スラブの下面に間仕切り壁を構築する際に、フラットデッキプレートのリブ部の長手方向の切断が不要となるので、作業時間の短縮と、構築コストの低減を図ることができる。
【００１７】
また、この発明によれば、フラットデッキプレートのフランジ部の幅方向端部に、フランジ部の長手方向に沿って所定間隔をあけて複数本のスリットを形成することにより、フランジ部の折り曲げ部を容易に水平に折り曲げることができるので、耐火間仕切り壁の構築が支障なく行える。
【図面の簡単な説明】
【００１８】
【図１】連結前の、この発明のフラットデッキプレートを示す断面図である。
【図２】連結後の、この発明のフラットデッキプレートを示す断面図である。
【図３】この発明のフラットデッキプレートのフランジ部を示す部分正面図である。
【図４】この発明のフラットデッキプレートのフランジ部を示す部分平面図である。
【図５】この発明のフラットデッキプレートのフランジ部を示す側面図である。
【図６】この発明のフラットデッキプレートのリブ部を示す部分正面図である。
【図７】この発明のフラットデッキプレートのリブ部を示す部分平面図である。
【図８】この発明のフラットデッキプレートのリブ部を示す断面図である。
【図９】この発明のフラットデッキプレートのリブ部の切断方法を示す説明図である。
【図１０】この発明のフラットデッキプレートの他の形状のリブ部を示す断面図である。
【図１１】従来フラットデッキプレートを示す図であり、（ａ）は、リブ部の断面図、（ｂ）は、リブ部の切断線を示す正面図である。
【図１２】連結前の従来フラットデッキプレートを示す断面図である。
【図１３】従来フラットデッキプレートを示す部分正面図である。
【図１４】連結後の従来フラットデッキプレートを示す断面図である。
【発明を実施するための形態】
【００１９】
この発明のフラットデッキプレートの一実施態様を、図面を参照しながら説明する。
【００２０】
図１は、連結前の、この発明のフラットデッキプレートを示す断面図、図２は、連結後の、この発明のフラットデッキプレートを示す断面図である。
【００２１】
図１および図２に示すように、この発明のフラットデッキプレートは、リブ部１と、フランジ部２とからなるフラットデッキプレートにおいて、リブ部１とフランジ部２とが分離可能に組み立てられる点に特徴を有している。
【００２２】
図３から図５に示すように、フランジ部２は、板状をなし、その幅方向端部には、下方に折れ曲がった折り曲げ部４が形成されている。折り曲げ部４は、リブ部１の合せ部３に挿入される。フランジ部２の幅方向端部には、フランジ部２の長手方向に沿って所定間隔をあけて複数本のスリット５が形成されている。フランジ部２には、その幅方向に沿って補強リブ６が形成されている。補強リブ６は、フランジ部２の長手方向に沿って所定間隔をあけて複数本、形成されている。なお、補強リブ６を、図４中、破線で示すように、フランジ部２の長手方向に沿って形成してもよい。
【００２３】
図６から図８に示すように、リブ部１は、断面三角形状をなし、上部に合せ部３が形成されている。リブ部１の他の形状としては、図１０（ａ）から（ｅ）に示すものがあるが、これらの形状に限定されない。なお、リブ部１の両側には、上述した従来フラットデッキプレートと同様に、載置部１ａと傾斜部１ｂとが形成されている。
【００２４】
このように構成されている、この発明のフラットデッキプレートを連結して組み立てるには、図２に示すように、複数本（この例では、４本）のリブ部１の合せ部３にフランジ部２の折り曲げ部４をそれぞれ挿入する。
【００２５】
床スラブの下面にリブ部１と直交させて、例えば、耐火間仕切り壁１２（図１１参照）を構築する際には、図９に示すように、フランジ部２とリブ部１との間に隙間をあけ、この隙間にくさび７を打ち込む。リブ部１は、フランジ部２と一体化していないので、くさび７を打ち込むことによって、リブ部１は、フランジ部２から容易に離れる。この状態でリブ部１を、溶断、サンダー切断、グラインダー等により切断し、除去する。
【００２６】
このように、この発明のフラットデッキプレートを使用することによって、リブ部１を長手方向に切断する必要がなくなるので、すなわち、リブ部１を切断線Ｙ（図１１参照）に沿って切断する必要がなく、切断線Ｘ（図１１参照）に沿って切断するのみで済むので、作業時間の短縮と、構築コストの低減を図ることができる。
【００２７】
なお、リブ部１を切断し、除去した後、フランジ部２の折り曲げ部４を水平に折り曲げれば、床スラブの下面が平坦になるので、耐火間仕切り壁１２の構築が支障なく行える。この際、折り曲げ部４には、スリット５が形成されているので、折り曲げ部４の折り曲げ作業が木槌等により容易に行える。
【００２８】
以上、説明したように、この発明によれば、フラットデッキプレート型枠工法により、床スラブの下面に、例えば、耐火間仕切り壁を構築する際に、フラットデッキプレートのリブ部１の長手方向の切断が不要となるので、作業時間の短縮と、構築コストの低減を図ることができる。
【符号の説明】
【００２９】
１：リブ部
１ａ：載置部
１ｂ：傾斜部
２：フランジ部
３：合せ部
４：折り曲げ部
５：スリット
６：補強リブ
７：くさび
１１：リブ部
１１ａ：載置部
１１ｂ：傾斜部
１２：耐火間仕切り壁
１３：フランジ部
１４：折り曲げ部
１５：合せ部
１６：残り代
【図１】
2019065593.tif 000003
【図２】
2019065593.tif 000004
【図３】
2019065593.tif 000005
【図４】
2019065593.tif 000006
【図５】
2019065593.tif 000007
【図６】
2019065593.tif 000008
【図７】
2019065593.tif 000009
【図８】
2019065593.tif 000010
【図９】
2019065593.tif 000011
【図１０】
2019065593.tif 000012
【図１１】
2019065593.tif 000013
【図１２】
2019065593.tif 000014
【図１３】
2019065593.tif 000015
【図１４】
2019065593.tif 000016